(57)【要約】【課題】パケット通信において、さらなる回線の有効利用を実現可能な通信方法を得ること。【解決手段】本発明の通信方法では、基地局制御装置１３が、受信パケットを無線回線上での送信単位の長さに分割し、全分割パケットのヘッダに再送制御に関する情報を設定し、基地局１２が、受信した分割パケットから所定の転送フレームを生成し、当該転送フレームを宛先の移動局に対して転送し、さらに、前記分割パケットに設定された再送制御に関する情報に基づいて転送フレームの再送回数を決定し、前記移動局が前記再送回数内で特定の転送フレームを正常に受信できなかった場合、当該転送フレームの再送を中断し、当該転送フレームに対応する分割パケットおよび後続の全分割パケットを廃棄することとした。【選択図】      図１
2005027167.tif 000002
【特許請求の範囲】
【請求項１】
パケット転送網から送られてくるパケットを基地局制御装置および基地局経由で移動局に転送する通信システムにて実行可能な各装置間の通信方法において、
前記基地局制御装置が、
受信パケットを無線回線上での送信単位の長さに分割し、全分割パケットのヘッダに再送制御に関する情報を設定する分割パケット生成ステップと、
前記情報設定後の全分割パケットを順に前記基地局に対して送信する分割パケット送信ステップと、
を含み、
前記基地局が、
受信した分割パケットから所定の転送フレームを生成し、当該転送フレームを宛先の移動局に対して転送する転送ステップと、
前記分割パケットに設定された再送制御に関する情報に基づいて転送フレームの再送回数を決定し、前記移動局が前記再送回数内で特定の転送フレームを正常に受信できなかった場合、当該転送フレームの再送を中断し、当該転送フレームに対応する分割パケットおよび後続の全分割パケットを廃棄する再送ステップと、
を含むことを特徴とする通信方法。
【請求項２】
前記基地局制御装置は、前記再送制御に関する情報として、宛先の基地局に対する許容再送回数を設定し、
前記基地局は、前記許容再送回数にしたがって転送フレームの再送回数を決定することを特徴とする請求項１に記載の通信方法。
【請求項３】
前記基地局制御装置は、１つのパケットを複数の分割パケットに分割する場合、当該分割パケットの送信順が後になるにしたがって許容再送回数が多くなるように設定することを特徴とする請求項２に記載の通信方法。
【請求項４】
前記基地局制御装置は、前記再送制御に関する情報として、後続の分割パケットの数を示す情報を設定し、
前記基地局は、前記後続の分割パケットの数に応じて、転送フレームの再送回数を決定することを特徴とする請求項１に記載の通信方法。
【請求項５】
前記基地局は、１つのパケットから生成された複数の分割パケットを受信した場合、後続の分割パケットの数が少なくなるにしたがって、再送回数が多くなるように決定することを特徴とする請求項４に記載の通信方法。
【請求項６】
前記基地局制御装置は、前記再送制御に関する情報として、１つのパケットから生成された複数の分割パケットの中で送信順が最後の分割フレームに、最後の分割パケットであることを示す情報を設定し、
前記基地局は、前記最後の分割パケットであることを示す情報に基づいて、転送フレームの再送回数を決定することを特徴とする請求項１に記載の通信方法。
【請求項７】
前記基地局は、１つのパケットから生成された複数の分割パケットを受信した場合、最後の転送フレームの再送回数がその他の転送フレームの再送回数よりも多くなるように決定することを特徴とする請求項６に記載の通信方法。
【請求項８】
前記基地局制御装置は、さらに、全分割パケットのヘッダに分割元のパケットを示す情報を設定し、
前記基地局は、前記分割元のパケットを示す情報に基づいて、同一のパケットから生成されている複数の分割パケットを用いて１つの転送フレームを生成することを特徴とする請求項１〜７のいずれか一つに記載の通信方法。
【請求項９】
前記移動局は、内部で測定した受信品質を前記基地局に対して送信し、
前記基地局は、前記受信品質に基づいて、現在の受信品質では転送フレームを送信することが不可能であると判断した場合に、対応する分割パケットおよび後続の分割パケットを廃棄することを特徴とする請求項１〜８のいずれか一つに記載の通信方法。
【請求項１０】
前記基地局は、前記転送フレームの再送を中断し、かつ当該転送フレームに対応する分割パケットおよび後続の全分割パケットを廃棄した場合に、前記転送フレームに対応する分割パケットを廃棄したこと（廃棄情報）を移動局に通知し、
前記移動局は、前記廃棄情報に基づいて既に正常に受信できている分割パケットを廃棄することを特徴とする請求項１〜９のいずれか一つに記載の通信方法。
【請求項１１】
所定の再送回数で転送フレームの送信が成功しなかった場合、
前記基地局制御装置は、再送制御を行うかどうかを示す情報（指示情報）を前記基地局に対して送信し、
前記基地局は、前記指示情報に基づいて分割パケットを廃棄するかどうかを決定することを特徴とする請求項１〜１０のいずれか一つに記載の通信方法。
【請求項１２】
パケット転送網から送られてくるパケットを基地局に中継する基地局制御装置において、
受信パケットを無線回線上での送信単位の長さに分割し、全分割パケットのヘッダに再送制御に関する情報を設定する分割パケット生成手段、
を備え、
前記情報設定後の全分割パケットを順に前記基地局に対して送信することを特徴とする基地局制御装置。
【請求項１３】
前記再送制御に関する情報として、宛先の基地局に対する許容再送回数を設定することを特徴とする請求項１２に記載の基地局制御装置。
【請求項１４】
１つのパケットを複数の分割パケットに分割する場合、当該分割パケットの送信順が後になるにしたがって許容再送回数が多くなるように設定することを特徴とする請求項１３に記載の基地局制御装置。
【請求項１５】
前記再送制御に関する情報として、後続の分割パケットの数を示す情報を設定することを特徴とする請求項１２に記載の基地局制御装置。
【請求項１６】
前記再送制御に関する情報として、１つのパケットから生成された複数の分割パケットの中で送信順が最後の分割フレームに、最後の分割パケットであることを示す情報を設定することを特徴とする請求項１２に記載の基地局制御装置。
【請求項１７】
さらに、全分割パケットのヘッダに、分割元のパケットを示す情報を設定することを特徴とする請求項１２〜１６のいずれか一つに記載の基地局制御装置。
【請求項１８】
前記基地局制御装置によって所定長に分割された分割パケットを受信する基地局において、
受信した分割パケットから所定の転送フレームを生成し、当該転送フレームを宛先の移動局に対して送信する転送フレーム生成／送信手段と、
前記分割パケットに設定された再送制御に関する情報に基づいて転送フレームの再送回数を決定し、前記移動局が前記再送回数内で特定の転送フレームを正常に受信できなかった場合、当該転送フレームの再送を中断し、当該転送フレームに対応する分割パケットおよび後続の全分割パケットを廃棄する再送制御手段と、
を備えることを特徴とする基地局。
【請求項１９】
前記基地局制御装置によって、前記再送制御に関する情報として、宛先の基地局に対する許容再送回数が設定された場合、
前記許容再送回数にしたがって転送フレームの再送回数を決定することを特徴とする請求項１８に記載の基地局。
【請求項２０】
前記基地局制御装置によって、前記再送制御に関する情報として、後続の分割パケットの数を示す情報が設定された場合、
前記後続の分割パケットの数に応じて、転送フレームの再送回数を決定することを特徴とする請求項１８に記載の基地局。
【請求項２１】
１つのパケットから生成された複数の分割パケットを受信した場合、後続の分割パケットの数が少なくなるにしたがって、再送回数が多くなるようにすることを特徴とする請求項２０に記載の基地局。
【請求項２２】
前記基地局制御装置によって、前記再送制御に関する情報として、１つのパケットから生成された複数の分割パケットの中で送信順が最後の分割フレームに、最後の分割パケットであることを示す情報が設定された場合、
前記最後の分割パケットであることを示す情報に基づいて、転送フレームの再送回数を決定することを特徴とする請求項１８に記載の基地局。
【請求項２３】
１つのパケットから生成された複数の分割パケットを受信した場合、最後の転送フレームの再送回数がその他の転送フレームの再送回数よりも多くなるようにすることを特徴とする請求項２２に記載の基地局。
【請求項２４】
前記基地局制御装置によって、さらに、全分割パケットのヘッダに分割元のパケットを示す情報が設定された場合、
前記分割元のパケットを示す情報に基づいて、同一のパケットから生成されている複数の分割パケットを用いて１つの転送フレームを生成することを特徴とする請求項１８〜２３のいずれか一つに記載の基地局。
【発明の詳細な説明】
【０００１】
【発明の属する技術分野】
本発明は、パケット通信システムにおいて、回線の有効利用を考慮した通信方法に関するものであり、特に、廃棄により無効となるデータを減少させることによって回線の有効利用を実現可能な通信方法に関するものである。
【０００２】
【従来の技術】
以下、従来の通信方法について説明する。従来の通信方法（下記特許文献１参照）では、無線基地局を介してＡＴＭ網へ、ＡＡＬ５（ＡＴＭ  Ａｄａｐｔａｔｉｏｎ  Ｌａｙｅｒ  Ｔｙｐｅ５）によりデータ転送を行う場合について記載され、無線基地局では、たとえば、セルデータの欠落を監視し、セルデータの欠落を検出しかつ再送処理に失敗した場合、欠落したセルデータ以降のデータセルを廃棄する。
【０００３】
ここで、上記廃棄処理について簡単に説明する。まず、ＡＴＭセルの送信側では、ＡＴＭセルのヘッダ部に、セル順序を示すシーケンス番号と、フレームの先頭である旨を示す開始メッセージ識別子（ＢＯＭ：Ｂｅｇｉｎ  Ｏｆ  Ｍａｓｓａｇｅ）と、を付与してＢＯＭセルとし、当該ＢＯＭセルを含むＣＰＣＳ−ＰＤＵ（Ｃｏｍｍｏｎ  Ｐａｒｔ  Ｃｏｎｖｅｒｇｅｎｃｅ  Ａｎｄ  Ｒｅａｓｓｅｍｂｌｙ  −  Ｐｒｏｔｏｃｏｌ  Ｄａｔａ  Ｕｎｉｔ）を無線基地局に対して送信する。そして、無線基地局では、ＣＰＣＳ−ＰＤＵのセルデータの監視によりセルデータの欠落を検出し、再送処理に失敗した場合、かつ欠落したセルデータが同一フレームのＢＯＭと終了メッセージ（ＥＯＭ：Ｅｎｄ  Ｏｆ  Ｍａｓｓａｇｅ）の区間である場合、欠落したセルデータ以降のＥＯＭまでの区間を廃棄する。これにより、ＡＴＭ網への不要なトラヒックの混入を防止する。
【０００４】
【特許文献１】
特開平１０−１９０６７９号公報
【０００５】
【発明が解決しようとする課題】
しかしながら、上記従来の通信方法では、既に送信されているデータ量に関係なく再送処理が行われるため、たとえば、再送処理に失敗した場合、既に送信済みのデータが受信側の装置にて廃棄されることとなり、無効となる送信済のデータを減少させることができない、という問題があった。また、従来の通信方法では、回線品質の状態（良好／劣悪）が考慮されてない、という問題があった。
【０００６】
本発明は、上記に鑑みてなされたものであって、パケット通信において、さらなる回線の有効利用を実現可能な通信方法を得ることを目的とする。
【０００７】
【課題を解決するための手段】
上述した課題を解決し、目的を達成するために、本発明にかかる通信方法にあっては、パケット転送網から送られてくるパケットを基地局制御装置および基地局経由で移動局に転送する通信システムにて実行可能な各装置間の通信方法であって、前記基地局制御装置が、受信パケットを無線回線上での送信単位の長さに分割し、全分割パケットのヘッダに再送制御に関する情報を設定する分割パケット生成ステップと、前記情報設定後の全分割パケットを順に前記基地局に対して送信する分割パケット送信ステップと、を含み、前記基地局が、受信した分割パケットから所定の転送フレームを生成し、当該転送フレームを宛先の移動局に対して転送する転送ステップと、前記分割パケットに設定された再送制御に関する情報に基づいて転送フレームの再送回数を決定し、前記移動局が前記再送回数内で特定の転送フレームを正常に受信できなかった場合、当該転送フレームの再送を中断し、当該転送フレームに対応する分割パケットおよび後続の全分割パケットを廃棄する再送ステップと、を含むことを特徴とする。
【０００８】
この発明によれば、基地局制御装置が、各分割パケットの許容再送回数を決定し、その許容再送回数を各分割パケットに付与する。そして、基地局が、各分割パケットに設定されている許容再送回数にしたがって再送回数を決定し、その後、転送フレームの再送を試み、決定した再送回数内で転送フレームの送信が成功しなかった場合、その転送フレームの送信を中断し、その転送フレームに対応する分割パケットおよび後続の分割パケットを廃棄する。
【０００９】
【発明の実施の形態】
以下に、本発明にかかる通信方法の実施の形態を図面に基づいて詳細に説明する。なお、この実施の形態によりこの発明が限定されるものではない。
【００１０】
実施の形態１．
実施の形態１では、本発明にかかる通信方法の一例として、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）の下り方向パケットのデータ伝送を高速化する技術であるＨＳＤＰＡ（Ｈｉｇｈ  Ｓｐｅｅｄ  Ｄｏｗｎｌｉｎｋ  Ｐａｃｋｅｔ  Ａｃｃｅｓｓ）を採用する無線通信システムの処理について説明する。
【００１１】
図１は、本発明にかかる通信方法を実現する無線通信システムの構成を示す図であり、このシステムは、移動局１１と、基地局１２と、基地局制御装置１３と、有線ネットワーク（パケット転送網）１４と、固定端末１５と、から構成される。ここでは、移動局１１と基地局１２が無線回線で接続され、基地局１２と基地局制御装置１３および基地局制御装置１３と有線ネットワーク１４が有線回線で接続される。また、移動局１１では、基地局１２との間で無線回線制御用の信号を送受することによって、たとえば、有線ネットワーク１４に接続された固定端末１５と通信を行う。また、基地局１２では、基地局制御装置１３との間で主に無線回線制御用の信号を送受し、移動局１１との間の無線回線を終端する。
【００１２】
ここで、本実施の形態の特徴的な動作を説明する前に、ＨＳＤＰＡの概念について説明する。図２は、ＨＳＤＰＡにおける基地局１２から移動局１１へのデータ伝送処理を示す図である。詳細には、図２（ａ）はＨＳＤＰＡにおけるＨＳ−ＳＣＣＨ（制御用通信チャネル）を示し、図２（ｂ）はＨＳＤＰＡにおけるＨＳ−ＰＤＳＣＨ（データ転送用通信チャネル）を示している。ＨＳ−ＳＣＣＨ，ＨＳ−ＰＤＳＣＨは、全移動局共用で使用されるチャネルである。
【００１３】
なお、図２の横軸は時間であり、制御信号１０１ａ〜１０１ｇは、それぞれ対応する移動局宛ての制御信号であり、データ１０２ａ〜１０２ｇは、それぞれ対応する移動局宛てのデータである。また、網掛けの種類は、宛先（移動局）が異なることを表している。たとえば、制御信号１０１ａと制御信号１０１ｆは同一移動局宛ての制御信号であり、制御信号１０１ｄと制御信号１０１ｇは、同一移動局宛ての、異なる拡散コードで拡散された制御信号である。また、データ１０２ａは、制御信号１０１ａと宛先（移動局）が同一であり、単位時間に３つの拡散コードで拡散されたデータを表している。
【００１４】
ＨＳＤＰＡでは、ＨＳ−ＳＣＣＨの制御信号により、ＨＳ−ＰＤＳＣＨを用いて送信するデータがあること、およびデータの送信方法に関する情報、を移動局に対して通知する。たとえば、移動局は、制御信号１０１ａの情報により、データ１０２ａが送信されること、およびデータ１０２ａが３つの拡散コードで拡散されていること、を認識する。
【００１５】
つづいて、本発明にかかる通信方法を実現する基地局制御装置１３，基地局１２，移動局１１の構成および動作について説明する。
【００１６】
図３は、基地局制御装置１３の構成を示す図である。基地局制御装置１３は、有線ネットワーク１４からのパケットを受信するパケット受信部２２と、受信したパケットを分割する分割パケット生成部２３と、分割パケット単位で移動局１１との間の再送を制御する再送制御部２４と、分割パケットを基地局１２に対して送信する分割パケット送信部２５と、移動局１１から送られてくる再送制御のための信号を受信する再送制御信号受信部２６と、基地局１２に対して制御信号を送信する制御信号送信部２７と、有線回線を介して基地局１２と信号を送受する有線信号送受信部２８と、基地局制御装置１３全体の制御を行う制御部２１から構成される。
【００１７】
また、図４は、基地局１２の構成を示す図である。基地局１２は、有線回線を介して基地局制御装置１３と信号を送受する有線信号送受信部３２と、基地局制御装置１３から送られてくる分割パケットを受信する分割パケット受信部３３と、分割パケットから移動局１１へ転送するフレームを生成する転送フレーム生成部３４と、移動局１１との間の再送を制御する再送制御部３５と、移動局１１に対して転送フレームを送信する転送フレーム送信部３６と、移動局１１から送られてくる再送制御信号を受信する再送制御信号受信部３７と、移動局１１から送られてくる受信品質情報を受信する品質情報受信部３９と、移動局１１から基地局制御装置１３への再送制御信号を中継する再送制御信号中継部４０と、基地局制御装置１３から送られてくる制御信号を受信する制御信号受信部４１と、基地局１２にてデータを廃棄したことを移動局１１へ通知するためのデータ廃棄情報送信部４２と、無線回線を介して移動局１１と信号を送受する無線信号送受信部３８と、基地局１２全体の制御を行う制御部３１から構成される。
【００１８】
また、図５は、移動局１１の構成を示す図である。移動局１１は、無線回線を介して基地局１２と信号を送受する無線信号送受信部５２と、基地局１２から送られてくる転送フレームを受信する転送フレーム受信部５３と、基地局１２との間の再送を制御する再送制御部５４と、基地局１２に対して再送制御信号を送信する再送制御信号送信部５５と、受信した転送フレームから分割パケットを再生する分割パケット再生部５６と、基地局制御装置１３との間の再送を制御する再送制御部５７と、分割パケットから元のパケットを再生するパケット再生部５８と、基地局制御装置１３に対して再送制御信号を送信する再送制御信号送信部５９と、再生した元のパケットを受信するパケット受信部６０と、基地局１２に対して受信品質情報を送信する品質情報送信部６１と、基地局１２でデータを廃棄したことを示す信号を受信するデータ廃棄情報受信部６２と、移動局１１全体の制御を行う制御部５１から構成される。
【００１９】
つづいて、固定端末１５が移動局１１宛てにパケットデータを送信する場合の、各装置における処理の一例を、図６，図７を用いて詳細に説明する。
【００２０】
まず、固定端末１５では、生成したパケットデータ２０１を有線ネットワーク１４経由で基地局制御装置１３に対して送信する。そして、基地局制御装置１３のパケット受信部２２が、パケットデータ２０１を受信する。なお、上記パケットデータ２０１は、あて先等の制御情報を含むパケットヘッダ部２０２と、送信情報を含むパケットペイロード部２０３から構成される。
【００２１】
つぎに、基地局制御装置１３の分割パケット生成部２３では、受信したパケットデータ２０１を、たとえば、無線回線上での送信単位の長さに分割し、複数の分割パケット２０４（図示の２０４ａ，２０４ｂ，…，２０４ｃに相当）を生成する。この分割パケット２０４には、パケット転送のための制御情報を含む分割パケットヘッダ２０５（図示の２０５ａ，２０５ｂ，…，２０５ｃに相当）と、パケットデータ２０１を分割し、当該分割された情報を含む分割パケットペイロード２０６（図示の２０６ａ，２０６ｂ，…，２０６ｃに相当）から構成される。
【００２２】
そして、上記分割パケット２０４が、再送制御部２４，分割パケット送信部２５，有線信号送受信部２８，および有線回線を経由して、基地局１２に転送される。
【００２３】
つぎに、基地局１２では、分割パケット受信部３３が、基地局制御装置１３から送られてくる分割パケット２０４を有線信号送受信部３２経由で受信する。このとき、制御部３１では、移動局１１から送られてくる受信品質情報に応じた転送フレームの生成方法を、転送フレーム生成部３４に対して指示する。たとえば、移動局１１における受信品質がよい場合は、一定時間に送信するデータ量を多くするように指示し、受信品質が悪い場合は、一定時間に送信するデータ量を少なくするように指示する。なお、上記受信品質情報は、移動局１１の制御部５１が、無線信号送受信部５２にて測定された受信品質に基づいて生成する。そして、品質情報送信部６１が、制御部５１の指示に従って当該受信品質情報を基地局１２に対して転送する。その後、基地局１２では、品質情報受信部３９が、無線信号送受信部３８経由で上記受信品質情報を受信し、その結果を制御部３１に対して転送する。ここでは、移動局１１にて測定された受信品質が悪く、分割パケット２０４の１つを無線送信の単位時間で送信する場合を、一例として説明する。
【００２４】
つぎに、転送フレーム生成部３４では、分割パケット２０４の１つを転送フレームとし、その転送フレームを再送制御部３５に渡す。再送制御部３５では、受け取った転送フレームを、再送に備えて保持するとともに転送フレーム送信部３６に渡す。転送フレーム送信部３６では、送信先の移動局１１に対して、ＨＳ−ＳＣＣＨを用いてデータの送信方法に関する情報を送信するとともに、ＨＳ−ＰＤＳＣＨを用いて転送フレームを送信する。このとき、ＨＳ−ＳＣＣＨ，ＨＳ−ＰＤＳＣＨ上の情報は、無線信号送受信部３８経由で移動局１１に送信される。
【００２５】
つぎに、移動局１１では、転送フレーム受信部５３が、ＨＳ−ＳＣＣＨ，ＨＳ−ＰＤＳＣＨ上の情報を無線信号送受信部５２経由で受信し、転送フレームを再生する。そして、再生した転送フレームを再送制御部５４に渡す。その後、再送制御信号送信部５５では、転送フレームを正常に受信できたかどうか（データが誤っているかどうか）を判定し、その判定結果に基づいて、再送を要求するかどうかを示す情報を生成する。そして、その生成結果を基地局１２に対して送信する。
【００２６】
基地局１２では、再送制御信号受信部３７が、上記再送を要求するかどうかを示す情報を受信する。そして、その情報を再送制御部３５に渡す。再送制御部３５では、受け取った情報が再送を要求する情報（ＮＡＫ）であれば、上記転送フレームを移動局１１に対して再送し、一方、受信が成功したことを示す情報（ＡＣＫ）であれば、先に保持しておいた転送フレームを破棄する。
【００２７】
また、上記移動局１１の再送制御部５４では、たとえば、転送フレームが正常に受信できた場合、当該転送フレームを分割パケット再生部５６に渡す。分割パケット再生部５６では、受け取った転送フレームから分割パケットを再生し、その再生結果を再送制御部５７に渡す。再送制御部５７では、たとえば、分割パケットヘッダ２０５に設定してある番号に基づいて、受信した分割パケットに抜けがあるかどうかを判断する。そして、受信した分割パケットに抜けがある場合、再送制御信号送信部５９では、再送要求信号を生成し、その生成結果を、基地局１２の再送制御信号中継部４０経由で、基地局制御装置１３の再送制御信号受信部２６に対して送信する。そして、再送制御信号受信部２６にて再送要求信号を受信した場合、再送制御部２４では、再度抜けがあった分割パケットから生成された転送フレームを送信する。
【００２８】
一方、再送制御部５７による判断の結果、受信した分割パケットに抜けがない場合、再送制御部５７では、パケット再生部５８に当該分割パケットを渡す。そして、パケット再生部５８では、複数の分割パケット（たとえば、２０４ａ，２０４ｂ，…，２０４ｃ）から、元のパケットデータ２０１を再生し、その再生結果をパケット受信部６０に渡す。
【００２９】
なお、上記パケットデータは、転送される情報の種類により、許容転送遅延時間と許容転送品質が決定される。一般的に、許容転送遅延時間が厳しい情報は、許容転送品質が厳しくない（たとえば、音声，動画等）。また、許容転送品質が厳しい情報は、転送許容時間が厳しくない（たとえば、ファイル転送）。
【００３０】
そこで、本実施の形態においては、許容転送時間が厳しい情報を送る場合、基地局制御装置１３と移動局１１との間では再送制御を行わず、基地局１２と移動局１１との間でのみ再送制御を行う。
【００３１】
具体的にいうと、基地局制御装置１３の分割パケット生成部２３では、パケット受信部２２で受信したパケット２０１を分割する場合、図７に示す通り、分割パケットヘッダ２０５に基地局１２での許容再送回数を設定する。たとえば、図７では、１つ目の分割パケット２０４ａの分割パケットヘッダ２０５ａには許容再送回数：２を、２つ目の分割パケット２０４ｂの分割パケットヘッダ２０５ｂにも許容再送回数：２を、最後の分割パケット２０４ｃの分割パケットヘッダ２０５ｃには許容再送回数：５を、それぞれ設定する。
【００３２】
基地局１２の再送制御部３５では、転送フレームに含まれる分割パケット２０４の分割パケットヘッダ２０５に設定されている許容再送回数にしたがって、移動局１１に対する転送フレームの再送回数を決定する。たとえば、１つ目の分割パケット２０４ａの再送回数を２とし、２つ目の分割パケット２０４ｂの再送回数も２とし、さらに、最後の分割パケット２０４ｃの再送回数については５とする。そして、移動局１１が、２回の再送で分割パケット２０４ａを正常に受信できなかった場合、基地局１２の再送制御部３５では、その分割パケット２０４ａの送信を中断し、当該分割パケット２０４ａおよび後続の分割パケット２０４ｂ，…，２０４ｃを送信せずに廃棄する。
【００３３】
このように、本実施の形態においては、基地局制御装置が、各分割パケットの許容再送回数を決定し、その許容再送回数を各分割パケットに付与することとした。そして、基地局が、各分割パケットに設定されている許容再送回数にしたがって再送回数を決定し、その後、転送フレームの再送を試み、決定した再送回数内で転送フレームの送信が成功しなかった場合、その転送フレームの送信を中断し、その転送フレームに対応する分割パケットおよび後続の分割パケットを廃棄することとした。これにより、移動局側で当然廃棄されることとなる後続の分割パケットが送信されないので、無線回線の有効利用を実現できる。
【００３４】
また、本実施の形態では、正常に受信できない分割パケットが１つでもあれば、移動局にてパケットを組み立てることができないので、たとえば、１つのパケットから一連の分割パケットを生成した場合、分割パケットの送信順が後になるにしたがって再送回数を多くすることとした。これにより、既に移動局にて正常に受信できている分割パケットが組み立てられずに廃棄される可能性を、大幅に低減することができる。
【００３５】
実施の形態２．
先に説明した実施の形態１では、基地局制御装置１３が、分割パケットに許容再送回数を設定し、基地局１２が、その許容再送回数にしたがって再送を行っていた。これに対して、実施の形態２では、基地局制御装置１３が、各分割パケットに、後続の分割パケットの数を示す情報を付与し、基地局１２が、受け取った情報に基づいて再送回数を決定する。なお、本実施の形態の無線通信システム，基地局制御装置，基地局および移動局の構成については、先に説明した実施の形態１と同様であるため、同一の符号を付してその説明を省略する。ここでは、実施の形態１と異なる動作についてのみ説明する。
【００３６】
図８および図９は、基地局制御装置１３が生成する分割パケットを示す図である。ここでは、説明の便宜上、図８に示すように、パケット２０１を６つの分割パケットに分割する場合を想定する。この場合、１つ目の分割パケット２０４ａの分割パケットヘッダ２０５ａには、残りの分割パケットの数である５を設定し、２つ目の分割パケット２０４ｂの分割パケットヘッダ２０５ｂには４を設定し、さらに最後の分割パケット２０４ｃの分割パケットヘッダ２０５ｃには０を設定する。なお、図９に示すように、基地局制御装置１３が、最後の分割パケット２０４ｃの分割パケットヘッダ２０５ｃにのみ、最後の分割パケットであることを示す情報を設定することとしてよい。
【００３７】
たとえば、基地局制御装置１３が図８に示すように残りの分割パケットの数を設定した場合、基地局１２では、たとえば、分割パケットヘッダ２０５ａに設定されている後続の分割パケット数が５であることから、分割パケット２０４ａに対応する転送フレームを移動局１１に送信するときの再送回数を、たとえば、２回とする。同様に、分割パケット２０４ｂに対応する転送フレームの再送回数を２回とし、さらに、分割パケット２０４ｃに対応する転送フレームの再送回数を、たとえば、５回とする。すなわち、図８の場合には、後続の分割パケットの数が少なくなるにしたがって、再送回数が多くなるように設定する。
【００３８】
また、基地局制御装置１３が図９に示すように最後の分割パケットにのみ最後であることを示す情報を付与した場合、基地局１２では、たとえば、分割パケットヘッダ２０５ａに最後のパケットであることを示す情報がないことから、分割パケット２０４ａに対応する転送フレームを移動局１１に送信するときの再送回数を、たとえば、２回とする。同様に、分割パケット２０４ｂに対応する転送フレームの再送回数を２回とする。一方で、分割パケット２０４ｃに対応する転送フレームは、最後の分割パケットであることを示す情報が設定されているので、再送回数を、たとえば、５回とする。すなわち、図９の場合には、最後の分割パケットに対応する転送フレームの再送回数が多くなるように設定する。
【００３９】
このように、本実施の形態においては、基地局制御装置が、各分割パケットに対して後続の分割パケットの数を設定するか、または、最後の分割パケットにのみ最後であることを示す情報を設定することとした。そして、基地局が、基地局制御装置が設定した情報に基づいて再送回数を決定し、移動局に対する転送フレームの送信が失敗した場合に再送を試み、決定した再送回数で転送フレームの送信が成功しなかった場合に、その転送フレームの送信を中断し、当該転送フレームに対応する分割パケットおよび後続の分割パケットを廃棄することとした。これにより、移動局側で当然廃棄されることとなる後続の分割パケットが送信されないので、無線回線の有効利用を実現できる。
【００４０】
また、本実施の形態では、正常に受信できない分割パケットが１つでもあれば、移動局にてパケットを組み立てることができないので、たとえば、１つのパケットから一連の分割パケットを生成した場合、分割パケットの送信順が後になるにしたがって再送回数を多くするか、または、最後の分割パケットに対応する転送フレームの再送回数を多くすることとした。これにより、既に移動局にて正常に受信できている分割パケットが組み立てられずに廃棄される可能性を、大幅に低減することができる。
【００４１】
実施の形態３．
先に説明した実施の形態１および２では、基地局制御装置１３が生成した１つの分割パケットを基地局１２から移動局１１への転送フレームとしていたが、実施の形態３では、基地局１２が、複数の分割パケットを１つの転送フレームとして移動局１１に送信する。なお、無線通信システム，基地局制御装置，基地局および移動局の構成については、先に説明した実施の形態１と同様であるため、同一の符号を付してその説明を省略する。ここでは、実施の形態１と異なる動作についてのみ説明する。
【００４２】
図１０は、基地局制御装置１３が生成する分割パケットを示す図であり、図１１は、基地局１２が生成する転送フレームを示す図である。
【００４３】
基地局制御装置１３では、図１０に示すように、パケット２０１ａから生成される各分割パケット２０４（図示の２０４ａ，２０４ｂ，…，２０４ｃに相当）の分割パケットヘッダ２０５（図示の２０５ａ，２０５ｂ，…，２０５ｃに相当）に、同一のパケットを分割したことを示す情報：「ａ」を付与し、パケット２０１ｂから生成される各分割パケット２０４（図示の２０４ｄ，２０４ｅ，…，２０４ｆに相当）の分割パケットヘッダ２０５（図示の２０５ｄ，２０５ｅ，…，２０５ｆに相当）に、上記「ａ」とは異なる情報：「ｂ」を付与する。
【００４４】
また、基地局制御装置１３では、図１０に示した各分割パケットの分割パケットヘッダに、さらに、実施の形態２で示したように、後続の分割パケットの数を付与する。なお、上記分割パケットヘッダには、後続の分割パケットの数に限らず、許容再送回数または最後の分割パケットであることを示す情報を付与することとしてもよい。
【００４５】
基地局１２では、基地局制御装置１３から分割パケット２０４ａ〜２０４ｆを受信した場合、分割パケットヘッダ２０５に付与されている生成元となったパケットを示す情報に基づいて、転送フレームを生成する。たとえば、４つの分割パケットから生成される転送フレームが許容最大長である場合、基地局１２の転送フレーム生成部３４では、分割パケット２０４ａ，２０４ｂ，２０４ｇ、２０４ｈが同一のパケットから生成されているため、これらの分割パケットで１つの転送フレーム３０１ａを生成する。また、後続の分割パケット２０４ｉ，２０４ｃも同一のパケットから生成されているため、これらで転送フレーム３０１ｂを生成する。また、２０４ｄ以降の分割パケットは、上記とは異なる同一パケットから生成されたものであるため、異なる転送フレーム３０１ｃを生成する。
【００４６】
なお、基地局１２が移動局１１への転送フレームの送信が許容再送回数内で成功しなかった場合、移動局１１では、既に正常に受信できている分割フレームを廃棄することとなるが、たとえば、１つの転送フレームの送信不可時は、１つのパケットに対応した分割フレームを廃棄することとなり、複数のパケットに対応する分割フレームが廃棄されることはない。なお、本実施の形態の許容再送回数は、各分割パケットに設定されている許容再送回数の最大値とする。
【００４７】
このように、本実施の形態においては、基地局制御装置が、同一パケットから生成された全分割パケットに同一パケットから生成されたことを識別するための情報（生成元となったパケットを示す情報）を付与することとした。そして、基地局が、同一パケットから生成された複数の分割パケットから転送フレームを生成し、それを移動局に送信する。また、基地局では、再許容送回数内に転送フレームの送信が成功しなかった場合、その転送フレームに対応する分割パケットを廃棄し、移動局では、既に正常に受信している同一パケットから生成された分割パケットのみを廃棄する。これにより、既に送信している分割パケットが無駄となる可能性を低減できる。
【００４８】
なお、上記実施の形態１，２，３においては、たとえば、移動局１１の品質情報送信部６１が、無線信号送受信部５２で測定した受信品質を基地局１２に対して送信し、基地局１２の制御部３１が、品質情報受信部３９経由で受信した品質情報を再送制御部３５に渡し、再送制御部３５が、現在の品質情報では分割パケットあるいは転送フレームを送信することが不可能であると判断した場合に、対応する分割パケットおよび後続の分割パケットを廃棄する。これにより、品質情報の状態を考慮した処理が可能となる。
【００４９】
また、上記実施の形態１，２，３において、基地局１２にて所定の再送回数で転送フレームの送信が成功しなかった場合に後続の分割パケットを廃棄するかどうかを、基地局制御装置１３の制御信号送信部２７が、当該基地局制御装置１３にて再送制御を行うかどうかを示す情報を基地局１２に対して送信し、基地局１２が、制御信号受信部４１経由で受信した情報に基づいて決定する。これにより、基地局制御装置１３で再送制御が行われない場合に、無駄な再送処理を低減できる。
【００５０】
また、上記実施の形態１，２，３において、移動局１１が既に正常に受信できている分割パケットを廃棄する場合は、まず、基地局１２のデータ廃棄情報送信部４２が、分割パケットを廃棄したことを示す情報を移動局１１に対して通知し、その後、移動局１１の制御部５１が、データ廃棄情報受信部６２経由で受信した上記情報に基づいてパケット再生部５８にて保持している分割パケットの廃棄を指示する。これにより、効率よく不要な分割パケットを廃棄できる。
【００５１】
【発明の効果】
以上、説明したとおり、本発明によれば、基地局制御装置が、たとえば、各分割パケットの許容再送回数を決定し、その許容再送回数を各分割パケットに付与することとした。そして、基地局が、各分割パケットに設定されている許容再送回数にしたがって再送回数を決定し、その後、転送フレームの再送を試み、決定した再送回数内で転送フレームの送信が成功しなかった場合、その転送フレームの送信を中断し、その転送フレームに対応する分割パケットおよび後続の分割パケットを廃棄することとした。これにより、移動局側で当然廃棄されることとなる後続の分割パケットが送信されないので、無線回線の有効利用を実現できる、という効果を奏する。
【図面の簡単な説明】
【図１】実施の形態１，２，３の無線通信システムの構成を示す図である。
【図２】ＨＳＤＰＡにおける基地局から移動局へのデータ伝送処理を示す図である。
【図３】基地局制御装置の構成を示す図である。
【図４】基地局の構成を示す図である。
【図５】移動局の構成を示す図である。
【図６】固定端末が移動局宛てにパケットデータを送信する場合の処理の一例を示す図である。
【図７】固定端末が移動局宛てにパケットデータを送信する場合の処理の一例を示す図である。
【図８】基地局制御装置が生成する分割パケットを示す図である。
【図９】基地局制御装置が生成する分割パケットを示す図である。
【図１０】基地局制御装置が生成する分割パケットを示す図である。
【図１１】基地局が生成する転送フレームを示す図である。
【符号の説明】
１１  移動局、１２  基地局、１３  基地局制御装置、１４  有線ネットワーク、１５  固定端末、２１  制御部、２２  パケット受信部、２３  分割パケット生成部、２４  再送制御部、２５  分割パケット送信部、２６  再送制御信号受信部、２７  制御信号送信部、２８  有線信号送受信部、３１  制御部、３２有線信号送受信部、３３  分割パケット受信部、３４  転送フレーム生成部、３５  再送制御部、３６  転送フレーム送信部、３７  再送制御信号受信部、３８  無線信号送受信部、３９  品質情報受信部、４０  再送制御信号中継部、４１  制御信号受信部、４２  データ廃棄情報送信部、５１  制御部、５２  無線信号送受信部、５３  転送フレーム受信部、５４  再送制御部、５５  再送制御信号送信部、５６  分割パケット再生部、５７  再送制御部、５８  パケット再生部、５９  再送制御信号送信部、６０  パケット受信部、６１  品質情報送信部、６２  データ廃棄情報受信部。
【図１】
2005027167.tif 000003
【図２】
2005027167.tif 000004
【図３】
2005027167.tif 000005
【図４】
2005027167.tif 000006
【図５】
2005027167.tif 000007
【図６】
2005027167.tif 000008
【図７】
2005027167.tif 000009
【図８】
2005027167.tif 000010
【図９】
2005027167.tif 000011
【図１０】
2005027167.tif 000012
【図１１】
2005027167.tif 000013